(57)【要約】【課題】ミュート時間を設定可能とし、音声属性情報が変化した際、該ミュート時間ミュートし、表示器のスピーカからの音声ノイズをユーザに聞かせないようにした光ディスク装置を提供する。【解決手段】ミュート時間設定キーが押下されると、制御部４は、メニュー画面を表示部７に表示させる（ｓ１）。このメニュー画面は、音声属性情報が変化した際のミュート時間を設定させるための画面であり、例えば図５のような画面である。ユーザは、メニュー画面を見ながらミュート時間設定キーを操作し、ミュート時間を予め設定する。ユーザは、ミュート時間設定キーを操作し、例えば図５のミュート時間を１つ選択する。ユーザは、このミュート時間設定キーにより、ミュート時間を予め設定する。ミュート時間が選択されるのを待って（ｓ２）、制御部４は、選択されたミュート時間を設定する（ｓ３）。【選択図】図４
2007193863.tif 000002
【特許請求の範囲】
【請求項１】
装置本体にセットされている光ディスクにピックアップヘッドからレーザ光を照射し、その光ディスクから音声データを読み取る読取手段を備え、該音声データに対応する音声の属性に関する音声属性情報の設定が可能な音声出力手段を有する表示器と所定のインタフェースを介して接続されている光ディスク装置において、
前記読取手段が読み取った音声データを前記表示器の前記音声出力手段に出力するとともに、該音声データに対応する音声属性情報が変化したか否かを判断する音声処理手段と、
前記音声属性情報が変化したと前記音声処理手段が判断した際の、ミュートを実行するミュート時間を予め設定する操作手段と、
前記表示器から音声属性情報の設定変更に要する設定変更時間を取得し、前記操作手段により前記ミュート時間を予め設定する際、前記設定変更時間を表示する表示手段と、を備え、
前記所定のインタフェースは、双方向通信可能なインタフェースであり、
前記音声処理手段は、前記操作手段により前記ミュート時間が予め設定されると、再生中に前記音声属性情報を確認し、前記音声属性情報が変化したと判断した際、ミュートを該ミュート時間実行し、前記表示器が有する前記音声出力手段の音声属性情報の設定を、該変化した音声属性情報の設定に変更する旨の設定変更命令を前記表示器に送信するDVDプレーヤ。
【請求項２】
装置本体にセットされている光ディスクにピックアップヘッドからレーザ光を照射し、その光ディスクから音声データを読み取る読取手段を備え、該音声データに対応する音声の属性に関する音声属性情報の設定が可能な音声出力手段を有する表示器と所定のインタフェースを介して接続されている光ディスク装置において、
前記読取手段が読み取った音声データを前記表示器の前記音声出力手段に出力するとともに、該音声データに対応する音声属性情報が変化したか否かを判断する音声処理手段と、
前記音声属性情報が変化したと前記音声処理手段が判断した際の、ミュートを実行するミュート時間を予め設定する操作手段と、を備え、
前記音声処理手段は、前記操作手段により前記ミュート時間が予め設定されると、再生中に前記音声属性情報を確認し、前記音声属性情報が変化したと判断した際、ミュートを該ミュート時間実行し、前記表示器が有する前記音声出力手段の音声属性情報の設定を、該変化した音声属性情報の設定に変更する旨の設定変更命令を前記表示器に送信する光ディスク装置。
【請求項３】
前記所定のインタフェースは、双方向通信可能なインタフェースであり、
前記表示器から音声属性情報の設定変更に要する設定変更時間を取得し、前記操作手段により前記ミュート時間を予め設定する際、前記設定変更時間を表示する表示手段を備える請求項２に記載の光ディスク装置。
【請求項４】
前記音声属性情報は、サンプリングレートである請求項２又は３に記載の光ディスク装置。
【発明の詳細な説明】
【技術分野】
【０００１】
本発明は、CD、ＤＶＤ等の光ディスクに記録されているデータの読取りを行う光ディスク装置に関し、特にミュートを実行する光ディスク装置に関するものである。
【背景技術】
【０００２】
従来、CD、ＤＶＤ等の光ディスクに記録されているデータの読み取りを行う光ディスク装置が一般に普及している。
光ディスク装置は、所定のインタフェースを介して表示器と接続され、ユーザは、該表示器において、光ディスク装置から出力された画像データに基づく画像、及び音声データに基づく音声を視聴することができる。所定のインタフェースは、例えばHDMI（High  Definition  Multimedia  Interface）である。音声データには、該音声データに対応する音声属性情報が存在する。
表示器は、音声出力手段を有する表示器であり、例えばテレビジョン、又はモニタである。音声出力手段は、スピーカを内蔵し、音声属性情報の設定が可能である。
音声属性情報は、音声の属性に関する情報であり、例えば量子化ビット数、サンプリングレート、音声チャンネル番号、又はCDやDVDのトラック番号である。
例えば、サンプリングレートは、D／A変換のために、表示器の音声出力手段に設定される。
上記視聴（再生）中、音声属性情報は、光ディスクに記録されているコンテンツの関係で変化する場合がある。例えば、光ディスクに記録されているTV番組が、異なるTV番組に変更した場合である。
この音声属性情報が上記視聴（再生）中に変化すると、表示器はスピーカから音声ノイズを発声してしまう。
よって、表示器は、音声ノイズが発声されてしまうことを防止するために、表示器側でミュートを一定時間実行する。そして、表示器は、その一定時間の間に、現在の音声属性情報の設定を該変化した音声属性情報の設定に変更する。一定時間は、例えば１００ms（ミリ秒）である。
【０００３】
一方、特許文献１に記載されたような音量調整装置が提案されている。
この音量調整装置は、音量値に応じて音声信号を増幅する音声増幅回路と、電源オン時から所定時間、前記音声増幅回路の動作を停止させるミュート回路と、前記所定時間を設定する操作手段と、を備える。
ユーザは、前記操作手段を操作することにより、所定時間を設定する。
【特許文献１】特開平０９−９３０５６号公報
【発明の開示】
【発明が解決しようとする課題】
【０００４】
しかしながら、表示器は、ミュート処理が甘くて音声ノイズを出してしまうことがあった。そのため、従来の光ディスク装置は、音声ノイズをユーザに聞かせてしまうことがあり、不快感をユーザに与えてしまうという問題があった。
また、表示器は、ミュート処理が長くて音声出力開始まで時間がかかることもあった。そのため、従来の光ディスク装置は、ユーザを苛立たせてしまうという問題があった。
【０００５】
また、特許文献１では、電源オン時のミュート時間を操作手段により設定できるが、光ディスクに記録されている音声データの音声属性情報が変化した際のミュート時間を設定するものではない。そのため、上記従来の光ディスク装置と同様の問題が生じる。
【０００６】
本発明はこのような従来の課題を解決しようとするものであり、ミュート時間を設定可能とし、音声属性情報が変化した際、該ミュート時間ミュートし、表示器のスピーカからの音声ノイズをユーザに聞かせないようにした光ディスク装置を提供することを目的とする。
【課題を解決するための手段】
【０００７】
本発明の光ディスク装置は、前記課題を解決するために以下の構成を備えている。
【０００８】
（１）装置本体にセットされている光ディスクにピックアップヘッドからレーザ光を照射し、その光ディスクから音声データを読み取る読取手段を備え、該音声データに対応する音声の属性に関する音声属性情報の設定が可能な音声出力手段を有する表示器と所定のインタフェースを介して接続されている光ディスク装置において、
前記読取手段が読み取った音声データを前記表示器の前記音声出力手段に出力するとともに、該音声データに対応する音声属性情報が変化したか否かを判断する音声処理手段と、
前記音声属性情報が変化したと前記音声処理手段が判断した際の、ミュートを実行するミュート時間を予め設定する操作手段と、を備え、
前記音声処理手段は、前記操作手段により前記ミュート時間が予め設定されると、再生中に前記音声属性情報を確認し、前記音声属性情報が変化したと判断した際、ミュートを該ミュート時間実行し、前記表示器が有する前記音声出力手段の音声属性情報の設定を、該変化した音声属性情報の設定に変更する旨の設定変更命令を前記表示器に送信する。
【０００９】
この構成において、所定のインタフェースは、例えばHDMI（High  Definition  Multimedia  Interface）である。表示器は、音声出力手段を有する表示器であり、例えばテレビジョン、又はモニタである。音声出力手段は、音声を外部に発声するスピーカを内蔵し、音声属性情報の設定が可能である。
ユーザは、上記操作手段により、ミュート時間を予め設定する。音声属性情報は、例えば量子化ビット数、サンプリングレート、音声チャンネル番号、又はCDやDVDのトラック番号である。
ここで、上記光ディスク装置は、ミュート時間を予め設定させるためのメニュー画面を表示する表示手段を備えても良い。ユーザは、このメニュー画面を見ながらミュート時間設定キーを操作し、ミュート時間を予め設定する。
音声処理手段がミュートを実行すると、表示器は、音声データが入力されなくなるので、音声を発声しなくなる。
また、音声処理手段から設定変更命令を受信すると、表示器は、音声属性情報の設定を変更する。
そして、音声処理手段は、ミュート時間が過ぎると、ミュートを終了する。すると、表示器は、変化した音声属性情報の設定により音声を再び発声する。
ユーザがミュート時間を適切に設定すれば、音声属性情報が変化しても、表示器から音声ノイズが発声しない。
以上より、ミュート時間を設定可能とし、音声属性情報が変化した際、該ミュート時間ミュートし、表示器のスピーカからの音声ノイズをユーザに聞かせないようにすることができるという効果を奏する。
特に、ミュート時間を設定可能とすることにより、表示器のミュート処理が甘い場合でも、ユーザに音声ノイズを聞かせないようにすることができるという効果を奏する。
また、ミュート時間を設定可能とすることにより、ユーザを苛立たせてしまうことも無くすることができるという効果を奏する。
【００１０】
（２）前記所定のインタフェースは、双方向通信可能なインタフェースであり、
前記表示器から音声属性情報の設定変更に要する設定変更時間を取得し、前記操作手段により前記ミュート時間を予め設定する際、前記設定変更時間を表示する表示手段を備える。
【００１１】
この構成において、所定のインタフェースは、例えばHDMI（High  Definition  Multimedia  Interface）である。設定変更時間は、表示器の種類によって異なるが、例えば１００ms（ミリ秒）である。
ユーザは、設定変更時間を見ながら操作手段を操作し、ミュート時間を予め設定する。この際、ユーザは、設定変更時間を目安として、該設定変更時間より少し多い時間をミュート時間として選択することが好ましい。
以上より、ユーザが設定変更時間を目安として適切なミュート時間を選択することができるという効果を奏する。
【００１２】
（３）前記音声属性情報は、サンプリングレートである。
【発明の効果】
【００１３】
この発明によれば、ミュート時間を設定可能とし、音声属性情報が変化した際、該ミュート時間ミュートし、表示器のスピーカからの音声ノイズをユーザに聞かせないようにすることができるという効果を奏する。
特に、ミュート時間を設定可能とすることにより、表示器のミュート処理が甘い場合でも、ユーザに音声ノイズを聞かせないようにすることができるという効果を奏する。
また、ミュート時間を設定可能とすることにより、ユーザを苛立たせてしまうことも無くすることができるという効果を奏する。
【発明を実施するための最良の形態】
【００１４】
以下、本発明の実施形態である光ディスク装置について説明する。
【００１５】
図１は、本発明の実施形態である光ディスク装置の主要な構成を示すブロック図である。
光ディスク装置１は、所謂ＤＶＤレコーダであり、装置本体１を制御する制御部４と、光ディスク１００に対しデータの記録や読取を行うピックアップヘッド２（以下、PUヘッド２と称する。）と、RFアンプなどの記録再生部３と、録画キーや再生キーや特殊再生キーやミュート時間設定キー等が設けられている操作部５と、情報を表示する表示部７と、データを記憶する記憶部６と、ミュート回路を内蔵する音声処理部１１と、画像データを所定のフォーマットに変換して出力する画像処理部１３と、ＴＶ放送信号を受信してデータを取得する受信部１０と、を備えている。
また、光ディスク装置１は、HDMIポート２０に差し込まれたHDMIケーブル２１を介して、モニタ１０１と接続されている。
【００１６】
モニタ１０１は、音声データをD／A変換し、音声を外部に発声する音声出力手段を有する。音声出力手段は、スピーカを内蔵し、音声属性情報の設定が可能である。
また、モニタ１０１は、HDMI規格のモニタである。
ＨＤＭＩは、High  Definition  Multimedia  Interfaceの略であり、ＤＶＤ再生装置等の出力装置からテレビ画像受像機やプロジェクタ表示装置等の表示装置へディジタルＡ／Ｖ信号を伝送するためのインタフェースである。ＨＤＭＩは、従来の規格であるＤＶＩ（Digital  Visual  Interface  for  Computer）Ver1.0を拡張したものである。具体的には、ＤＶＩは画像情報のみを送信する規格であるのに対し、ＨＤＭＩは、画像情報の他、音声情報およびその他の情報も一のケーブルで送信できる規格である。さらに、ＨＤＭＩは、高品質のマルチチャンネル音声と高解像度の各種フォーマットの画像信号（映像信号）の伝送が可能である。
ＨＤＭＩは、DDC（Display  Date  Channel）により、モニタ１０１が光ディスク装置１に送信する情報を伝送することができる。DDCは、通信形式の名称である。
【００１７】
なお、この実施形態では、光ディスク装置としてＤＶＤレコーダを説明しているが、DVDプレーヤでも構わない。
また、この実施形態では、表示器としてモニタ１０１を説明しているが、テレビジョンでも構わない。
【００１８】
PUヘッド２は、図示しないレーザダイオード（ＬＤ）、コリメータレンズ、ビームスプリッタ、対物レンズ、フォトディテクタ、スレッドモータ、及び２軸のアクチュエータを備えている。
ＰＵヘッド２は、光ディスク１００の半径方向に延びる軸に移動自在に取り付けられている。スレッドモータが、ＰＵヘッド２を光ディスク１００の半径方向に移動する。
ＬＤは、レーザ光を出力する光源であり、フォトディテクタは、複数の受光素子で形成されており、光ディスク１００からの反射光を検出する。フォトディテクタは、例えば、受光領域がほぼ均等に４分割されており、４つの受光領域を形成している。
対物レンズは、光ディスク１００に対するレーザ光の照射位置を調節する。また、２軸のアクチュエータは、対物レンズを光ディスク１００に接離する方向、及び光ディスク１００の半径方向に移動させる。
【００１９】
まず、再生時の動作について説明する。
ＰＵヘッド２は、光ディスク１００に対して読取パワーのレーザ光を照射し、光ディスク１００からの反射光をフォトディテクタで検出する。これにより、光ディスク１００に記録されている情報を光学的に読み出す。
【００２０】
記録再生部３は、ＰＵヘッド２における複数の受光素子の出力に基づいてＲＦ信号を生成し、該ＲＦ信号を増幅する。そして、記録再生部３は、該ＲＦ信号を処理して画像と音声のデータを取り出し、それぞれデコードする。ここで、取り出される画像データは、例えばＭＰＥＧでエンコードされている。また、取り出される音声データは、例えばＭＰＥＧ、AC３でエンコードされている。そして、記録再生部３は、音声データを音声処理部１１に、画像データを画像処理部１３に、両データの同期を取りながら、それぞれ出力する。
【００２１】
音声処理部１１は、伸長された音声データをディジタルの再生音声信号として外部のモニタ１０１に出力する。正確には、音声処理部１１は、該音声データをHDMI規格の情報に基づいてディジタル信号に変換し、再生音声信号として外部のモニタ１０１に出力する。
また、音声処理部１１は、ミュート回路を有し、制御部４の指示により、ミュートを実行する。
【００２２】
画像処理部１３は、伸長された画像データをディジタルの再生画像信号として外部のモニタ１０１に出力する。正確には、音声処理部１１は、該画像データをHDMI規格の情報に基づいてディジタル信号に変換し、再生画像信号として外部のモニタ１０１に出力する。
例えば、音声処理部１１及び画像処理部１３は、これらのディジタル信号を、ＨＤＭＩケーブル２１を介して、ＴＭＤＳ（Transition  Minimized  Differential  Signaling）方式でモニタ１０１に送信する。
【００２３】
音声処理部１１及び画像処理部１３には、HDMIポート２０に差し込まれたHDMIケーブル２１を介してモニタ１０１が接続され、ユーザは、このモニタ１０１において、音声処理部１１及び画像処理部１３から出力された画像信号に基づく画像、及び音声信号に基づく音声を視聴することができる。
【００２４】
次に、記録時の動作について説明する。
受信部１０は、例えばチューナである。
受信部１０は、ＴＶ放送等を受信するアンテナから選択されているチャンネルのＴＶ放送信号を抽出して、Ａ／Ｄ変換してディジタル化し、出力する。インターネット、ディジタル放送などのようにデータとして入力されてくるならば、受信部１０は、パケット又はＴＶ放送信号等からデータを抽出して、出力する。
ここで、受信部１０は、ＴＶ放送等のアンテナからＴＶ放送信号等を受信するに限らず、マイク等の収音器で収音した音声や撮像装置で撮像した動画なども受信する。
【００２５】
そして、記録再生部３は、入力されたデータを（例えば、ＭＰＥＧで）エンコードし、ディジタル信号をＰＵヘッド２に出力する。該入力されたデータは、バイナリデータであるＡＶ（オーディオビジュアル）データを含んでおり、分離された後エンコードされる。
そして、ＰＵヘッド２は、記録再生部３からディジタル信号が入力されると、このディジタル信号に応じて記録パワーのレーザ光を制御し、光ディスク１００の記録面に照射する。
このようにして、光ディスク１００に画像データおよび音声データが記録される。
【００２６】
操作部５は、ユーザが光ディスク装置１に対して各種の命令（コマンド）を入力するためのものであり、録画キーや再生キーや特殊再生キーやミュート時間設定キー等が設けられている。光ディスク装置１に対してユーザが入力したコマンドは制御部４に伝送される。
ミュート時間設定キーは、音声属性情報が変化した際の、ミュートを実行するミュート時間を予め設定するためのキーである。
ユーザは、このミュート時間設定キーにより、ミュート時間を予め設定する（後述の図４〜６参照）。
【００２７】
記憶部６は、例えばSDRAM、又はＥＥＰＲＯＭで構成されており、装置本体１の主制御プログラムを記憶する。また、記憶部６は、例えば後述ｓ３の設定を記憶する。
【００２８】
表示部７は、例えばLCDで構成される。
表示部７は、時刻、光ディスク装置１の設定状態などを表示する。ユーザは、この画面を見ながらミュート時間設定キーを操作し、ミュート時間を予め設定する（後述の図４〜６参照）。
表示部７は、後述の図５及び６で表示される画面の基となるデータを記憶する画像メモリ（不図示）を有する。
【００２９】
ＨＤＭＩポート２０は、ＨＤＭＩケーブル２１により、光ディスク装置１とモニタ１０１との接続の有無を検出している。具体的には、ＨＤＭＩケーブル２１はＨＰＤ（Hot  Plug  Detector）機能を有し、ＨＤＭＩポート２０は、このＨＰＤから、接続の有無の情報を受け取る。ＨＤＭＩポート２０は、ＨＰＤから受け取った接続の有無の情報を、装置本体内部の通信線を介して制御部４に送信する。
【００３０】
制御部４は、例えばSRAM、マイクロコンピュータで構成されており、光ディスク装置１にユーザから入力された命令に応じて光ディスク装置１の各部を制御する。
さらに、制御部４は、時間及び時刻を経時するタイマー回路（時計ユニット）を内蔵する。
【００３１】
制御部４は、ＨＤＭＩケーブル２１を介して、モニタ１０１から後述する表示条件の情報（以下、表示条件情報という。）を取得する。
表示条件情報は、モニタ１０１の表示条件を示す情報であり、例えば解像度情報、アスペクト比情報、表示情報、又はモニタ１０１の音声条件を示す音声条件情報である。また、表示条件情報は、設定変更時間（図６参照）を含む。この設定変更時間は、モニタ１０１が音声属性情報の設定変更に要する時間である。
音声属性情報は、例えば量子化ビット数、サンプリングレート、音声チャンネル番号、又はCDやDVDのトラック番号である。
【００３２】
制御部４は、光ディスク装置１とモニタ１０１との接続が有る旨の情報をＨＤＭＩポート２０から受け取ると、モニタ１０１からそのモニタ１０１の表示条件情報を、ＨＤＭＩケーブル２１を介して取得する。そして、制御部４は、音声処理部１１及び画像処理部１３に対して、この表示条件情報により設定される表示条件に従って画像データや音声データを変換するよう指示する。
【００３３】
なお、実際の光ディスク装置では、読取時や記録時に、レーザ光の照射位置を光ディスクのトラックの中心に合わせるトラッキングサーボ制御と、レーザ光の合焦位置を光ディスクの記録面に合わせるフォーカスサーボ制御と、を行っているが、本発明の実施形態では図示を省略している。
【００３４】
ここで、ＰＵヘッド２、記録再生部３、及び制御部４が、本発明の「読取手段」に相当する。HDMIポート２０及びHDMIケーブル２１が、本発明の「所定のインタフェース」に相当する。音声処理部１１、及び制御部４が、本発明の「音声処理手段」に相当する。表示部７が、本発明の「表示手段」に相当する。
【００３５】
図２は、音声属性情報の内の量子化ビット数及びサンプリングレートを説明する図である。
図中の連続関数ｘ（ｔ）は、音声の電圧表現である。縦軸は、電圧（V）を表し、横軸は、時間（ｓ）を表す。
音声データは、例えば図２に示すような連続関数ｘ（ｔ）を標本化し、さらに、量子化を行なうことにより得られる。
【００３６】
この音声データが得られる場面は、例えば受信部１０がマイク等の収音器で収音した音声や撮像装置で撮像した動画などを受信して、A／D変換する場面である。
【００３７】
どのような間隔で標本化を行なうかに相当する単位が、サンプリングレート（別名サンプリング周波数）である。この単位は、Hzである。図２において、サンプリングレートは、７（Hz）である。
また、どのような間隔で量子化を行なうかに相当する単位が、量子化ビット数（別名サンプリングサイズ）である。この単位は、ビットである。
なお、標本化とは、時刻ｔを離散的な値ｔ１〜ｔ７にすることをいい、量子化とは、標本化により得られる連続量を離散的な量に変換することをいう。
【００３８】
ここで、一般的なモニタ又はテレビジョンにおいて、音声属性情報が再生中に変化した際に音声ノイズが発声してしまう原因は、量子化ビット数よりサンプリングレートによるものが大きいことが実験により明らかになった。
【００３９】
なお、サンプリングレートは、D／A変換のために、モニタ１０１の音声出力手段に設定される。
【００４０】
図３は、ＤＶＤ−Ｖideoフォーマットで記録された光ディスク上のデータのデータ構造を示す図である。ＤＶＤ−Ｖideoフォーマットで記録された光ディスク１００上には、図３（イ）に示すように、その内周から外周にかけてVＭGI、VＭGＭ_VOBS、タイトル１〜３が記録されている。
VＭGI(Video  Ｍanager  InforＭation)は、ＤＶＤ−Ｖideo全体の再生関連情報（制御情報）、いわゆるルートメニューの情報が記述されている。例えば、ＶＴＳＩのアドレス情報やチャプタ情報等もここに記述されている。
VＭGＭ_VOBS(Video  Object  Set  for  VＭG  Ｍenu)は、タイトルメニューで使用するコンテンツが記述されている。ＶＴＳＩのアドレス情報等を含むＤＶＤ−Ｖideo全体の再生関連情報（制御情報）が記述される場合もある。
VＭGIbupは、VＭGIのバックアップファイルである。
以下、ＶＭＧと言う時は、VＭGI又はVＭGＭ_VOBSを指す。
【００４１】
また、タイトルは、ＶＴＳＩ（Ｖideo  Ｔitle  Ｓet  ＩnforＭation）とＶＯＢＳ（Ｖideo  Ｏbject  Ｓet）とＶＴＳＩbupとから構成されており（図３（イ）参照）、最大９９タイトルまで収録が可能である。図３（イ）では、３タイトル収録されている。
【００４２】
ＶＴＳＩは、そのＶＴＳに対する制御情報が記述されている。制御情報には、チャプタ情報も含まれる。
ＶＯＢＳは、タイトル再生のためのコンテンツが記述されており、図３（ロ）に示すように、複数のセルから構成されている。図３（ロ）の＃ｎは、セルの番号である。
なお、ＶＯＢＳとＶＴＳとは、同じものを表す。
ＶＴＳＩbupは、ＶＴＳＩのバックアップファイルが記述されている。
ここで、ＶＴＳＩ、ＶＯＢＳ、及びＶＴＳＩbupの＃１〜３は、タイトルの番号に対応している。
【００４３】
ＤＶＤ−Ｖideoフォーマットにおいて、データは、予め決められたセル単位で記録される。
セルは、複数のＶＯＢＵ（Ｖideo  Ｏbject  Ｕnit）で構成される（図３（ハ）参照）。図３（ハ）の＃ｍは、ＶＯＢＵの番号である。１タイトルのセルの最大数は２５５セルである。そのため、光ディスクに１０時間分のデータを記録する場合、１セルは、例えば２分３０秒である。
ここで、１セルで１０時間分のデータを記録してもよいが、セルの再生時間をＮＶ＿ＰＣＫに書く必要があるため、セルを一旦光ディスク１００に記録し始めると、ユーザが録画停止してもセルを記録し終えるまで記録を停止することができない。よって、利便性を考えると、１セルは、２分３０秒くらいの時間が望ましい。
【００４４】
ＶＯＢＵは、先頭にＮＶ＿ＰＣＫ（Ｎavigatyion  Ｐack）が置かれ、続いてビデオデータやオーディオデータ（ＡＶデータ）などがパック化されて挿入される（図３（ニ）参照）。
ここで、現在のＶＯＢＵを記録するのに、現在のＶＯＢＵの後に記録する複数個のＶＯＢＵの先頭アドレスやセルの再生時間などを、現在のＶＯＢＵ中のＮＶ＿ＰＣＫに書き込必要がある。
ＤＶＤ−Ｖideoフォーマットにおいて、データは、前から順番に、例えると一筆書きのように記録されるため、記録後編集を行うことはできない。
【００４５】
音声属性情報は、NV＿PACKに記録されている。音声属性情報は、VＭGI(Video  Ｍanager  InforＭation)、VTSI（Ｖideo  Ｔitle  Ｓet  ＩnforＭation）に記録される場合もある。音声属性情報の内のサンプリングレート及び量子化サイズは、主としてNV＿PACKに記録されている。
【００４６】
なお、この実施形態では、ＤＶＤ−Ｖideoフォーマットを紹介しているが、これに限定する趣旨でない。VRフォーマットでも良い。
【００４７】
図４は、本発明の実施形態である光ディスク装置においてミュート時間を設定する際に制御部が行う動作を示すフローチャートである。
図４の動作は、ミュート時間設定キーの押下がトリガとなって開始される動作である。図４で示されているミュート時間設定ルーチンは、上記主制御プログラムに関連する（プレインストールされている）ルーチンであり、ミュート時間設定キーの押下時に、主制御プログラムからコールされる。
【００４８】
ミュート時間設定キーが押下されると、制御部４は、メニュー画面を表示部７に表示させる（ｓ１）。このメニュー画面は、音声属性情報が変化した際のミュート時間を設定させるための画面であり、例えば図５のような画面である。
【００４９】
図５は、ミュート時間を設定する際に表示部７で表示するメニュー画面のフォーマットの一例を示す図である。
ユーザは、メニュー画面を見ながらミュート時間設定キーを操作し、ミュート時間を予め設定する。ユーザは、ミュート時間設定キーを操作し、例えば図５のミュート時間を１つ選択する。
ユーザは、このミュート時間設定キーにより、ミュート時間を予め設定する。
【００５０】
ミュート時間が選択されるのを待って（ｓ２）、制御部４は、選択されたミュート時間を設定し（ｓ３）、本処理を終了する。
この設定は、選択されたミュート時間を制御部４が記憶部６に記録することにより行われる。
なお、この実施形態では、ミュート時間を選択さしているが、ミュート時間の数値を直接入力させて、ミュート時間を設定させる構成でも構わない。
【００５１】
また、この実施形態の変形例として以下のように構成しても良い。
【００５２】
上述の設定変更時間を予め取得し、ｓ１において、制御部４は例えば図６のようなメニュー画面を表示部７に表示させる。設定変更時間は、モニタ１０１が音声属性情報の設定変更に要する時間である。設定変更時間は、例えば１００ms（ミリ秒）である。
図６は、ミュート時間を設定する際に表示部７で表示するメニュー画面のフォーマットの一例を示す図である。
ユーザは、例えば図６の画面を見ながらミュート時間設定キーを操作し、ミュート時間を予め設定する。この際、ユーザは、図６のなお書きに示す設定変更時間を目安として、該設定変更時間より少し多い時間をミュート時間として選択することが好ましい。図６では、「３」である。
以上より、ユーザが設定変更時間を目安として適切なミュート時間を選択することができるという効果を奏する。
なお、図６のようなメニュー画面を表示部７に表示させるため、制御部４は、設定変更時間を予め取得しておく。制御部４は、例えばミュート時間設定キーの押下からｓ１の間に取得する。
【００５３】
図７は、本発明の実施形態である光ディスク装置において再生キー押下時に制御部が行う動作を示すフローチャートである。
図７で示されている再生キー押下ルーチンは、上記主制御プログラムに関連する（プレインストールされている）ルーチンであり、再生キー押下により、主制御プログラムからコールされる。
再生キーが押下されると、それがトリガとなり、制御部４は、図７で示されている再生キー押下ルーチンを実行し、以下の動作を行う。
【００５４】
まず、制御部４は、予め設定されているミュート時間を記憶部６から取得する（ｓ１０）。
【００５５】
そして、制御部４は、再生を行うため、装置本体１各部の制御を実行する（ｓ１１）。これにより、ＰＵヘッド２は、光ディスク１００に対しデータの読取、つまりコンテンツの読取を開始する。
なお、光ディスク１００が装置本体１にマウントされていることを前提としている。
【００５６】
次に、制御部４は、音声属性情報の確認を開始する（ｓ１２）。音声属性情報は、例えば量子化ビット数、サンプリングレート、音声チャンネル番号、又はCDやDVDのトラック番号である。
ｓ１２により、制御部４は、再生中、音声属性情報の確認をリアルタイムに行う。この確認は、例えば音声データの制御情報をPUヘッド２に調べさせることにより、行われる。この制御情報は、光ディスク１００に記録されている情報である。音声属性情報の内のサンプリングレートおよび量子化サイズは、DVDであれば主としてNV＿PACKに記録されている（図３参照）。
【００５７】
制御部４は、音声データの再生中、該音声データの音声属性情報が変化したか否か判断する（ｓ１３）。
音声属性情報が変化していないと判断すると、制御部４は、現在再生中であるか否か判断する（ｓ１９）。再生していないと判断すると、制御部４は、本処理を終了する。
再生していると判断すると、制御部４は、ｓ１３に戻り処理を継続する。
つまり、再生中である限り、ｓ１３及びｓ１９の判断が行なわれる。
【００５８】
一方、音声属性情報が変化していると判断すると、制御部４は、ミュートを音声処理部１１に実行させ（ｓ１４、図１参照）、併せてタイマーをスタートする（ｓ１５）。このタイマーは、制御部４が内蔵するタイマー回路において行なわれる。
すると、モニタ１０１は、音声データが入力されなくなるので、内蔵するスピーカから音声を発声しなくなる。
【００５９】
そして、制御部４は、HDMIポート２０及びHDMIケーブル２１を介して、設定変更命令をモニタ１０１に送信する（ｓ１６、図１参照）。設定変更命令は、モニタ１０１の設定を該変化した音声属性情報の設定に変更する旨の命令である。
すると、モニタ１０１は、音声出力手段の現在の音声属性情報の設定を、変化した音声属性情報の設定に変更する。例えば、現在の音声属性情報の設定がサンプリングレート４４、１ｋHzであって変化した音声属性情報の設定が４８ｋHzであれば、モニタ１０１は、４４、１ｋHzから４８ｋHzに変更する。この設定変更に要する設定変更時間は、例えば１００ms（ミリ秒）である。
【００６０】
制御部４は、図４において予め設定されたミュート時間が経過したか否か判断する（ｓ１７）。制御部４は、内臓するタイマー回路のタイマーによって、ｓ１５からのミュート時間を判断する。
【００６１】
ミュート時間が経過すると、制御部４は、ミュートを音声処理部１１に終了させ（ｓ１８）、ｓ１９に戻り処理を継続する。つまり、再生中である限り、ｓ１３及びｓ１９の判断が行なわれる。
また、モニタ１０１は、ｓ１８によって、変化した音声属性情報の設定によりスピーカから音声を再び発声する。
ユーザがミュート時間を適切に設定すれば、音声属性情報が変化しても、モニタ１０１のスピーカから音声ノイズが発声しない。
【００６２】
以上より、ミュート時間を設定可能とし、音声属性情報が変化した際、該ミュート時間ミュートし、表示器のスピーカからの音声ノイズをユーザに聞かせないようにすることができるという効果を奏する。
特に、ミュート時間を設定可能とすることにより、モニタ１０１のミュート処理が甘い場合でも、ユーザに音声ノイズを聞かせないようにすることができるという効果を奏する。
また、ミュート時間を設定可能とすることにより、ユーザを苛立たせてしまうことも無くすることができるという効果を奏する。
【図面の簡単な説明】
【００６３】
【図１】本発明の実施形態である光ディスク装置の主要な構成を示すブロック図
【図２】音声属性情報の内の量子化ビット数及びサンプリングレートを説明する図
【図３】ＤＶＤ−Ｖideoフォーマットで記録された光ディスク上のデータのデータ構造を示す図
【図４】本発明の実施形態である光ディスク装置においてミュート時間を設定する際に制御部が行う動作を示すフローチャート
【図５】ミュート時間を設定する際に表示部７で表示するメニュー画面のフォーマットの一例を示す図
【図６】ミュート時間を設定する際に表示部７で表示するメニュー画面のフォーマットの一例を示す図
【図７】本発明の実施形態である光ディスク装置において再生キー押下時に制御部が行う動作を示すフローチャート
【符号の説明】
【００６４】
１−光ディスク装置
２−PUヘッド
３−記録再生部
４−制御部
５−操作部
６−記憶部
７−表示部
１０−受信部
１１−音声処理部
１３−画像処理部
２０−HDMIポート
２１−HDMIケーブル
１００−光ディスク
１０１−モニタ
【図１】
2007193863.tif 000003
【図２】
2007193863.tif 000004
【図３】
2007193863.tif 000005
【図４】
2007193863.tif 000006
【図５】
2007193863.tif 000007
【図６】
2007193863.tif 000008
【図７】
2007193863.tif 000009